【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
ハウジングに配置された第１の固定切片と、
前記ハウジングに前記第１の固定切片を挟んで所定距離以上離して配置された第２及び第３の固定切片と、
前記第１の固定切片と前記第２の固定切片とのＯＮ／ＯＦＦを行う第１の可動切片と、
前記第１の固定切片と前記第３の固定切片とのＯＮ／ＯＦＦを行う第２の可動切片と、
回転可能な中心部材、前記中心部材から前記第１の可動切片に伸びる第１アーム、及び前記中心部材から前記第２の可動切片に伸びる第２アームを有し、回転することで前記第１アームにより前記第１の可動切片の前記第１の固定切片及び前記第２の固定切片への接触及び離脱を行い、前記第２アームにより前記第２の可動切片の前記第１の固定切片及び前記第３の固定切片への接触及び離脱を行うシーソー機構と
を備えることを特徴とする高周波スイッチ。
【請求項２】
前記第１の可動切片、前記第２の可動切片、前記第１の固定切片、前記第２の固定切片、及び前記第３の固定切片のそれぞれは幅がＷ（ｍｍ）の伝送ラインであって、前記第１の可動切片又は前記第２の可動切片によってＯＮにされることにより接続された各前記伝送ラインは、前記ハウジングの厚みをｈ（ｍｍ）としたとき、比ｈ／Ｗと、前記ハウジングの比誘電率εｒとに基づく特性インピーダンスを有するマイクロストリップライン構造であることを特徴とする請求項１に記載の高周波スイッチ。
【請求項３】
前記シーソー機構は、
前記第１アーム側と前記第２アーム側へ方向を変えてスライド移動可能にされ、前記第１アーム及び前記第２アームを選択的に前記ハウジングの底部側へ押圧可能にされたスライダを有し、
前記スライダにより前記第１アームが押圧されることにより前記第１アームが前記ハウジング底部側に近づき、前記第１の可動切片と前記第１及び前記第２の固定切片とが接触しＯＮにされるとともに、
前記第２アームが前記ハウジングの底部側から離れ、前記第２の可動切片が前記１及び前記第３の固定切片から離れＯＦＦにする
ことを特徴とする請求項１又は請求項２に記載の高周波スイッチ。
【請求項４】
前記シーソー機構は、
前記スライダの前記ハウジングの底部側に設けた第１弾性部材と、
前記第１の可動切片及び前記第２の可動切片のそれぞれを、前記ハウジングの底部側から押圧する第２弾性部材と
を有することを特徴とする請求項３に記載の高周波スイッチ。
【請求項５】
前記第１の可動切片又は前記第２の可動切片の離脱によってＯＦＦされたときに、前記第１の可動切片と前記第１及び第２の固定切片との距離あるいは前記第２の可動切片と前記第１及び第３の固定切片との距離が所定以上確保できるように、前記第１及び第２の可動切片を各々略平板状に形成するとともに、前記第１乃至第３の固定切片の前記第１及び第２の可動切片と当接する箇所に凸部を設けたことを特徴とする請求項１乃至４のいずれか一つに記載の高周波スイッチ。
【請求項６】
前記ハウジングの上に前記第１乃至第３の固定切片と対向する位置にさらに第４乃至第６の固定切片が配置され、
前記第４の固定切片と前記第５の固定切片とのＯＮ／ＯＦＦを行う第３の可動切片と、
前記第４の固定切片と前記第６の固定切片とのＯＮ／ＯＦＦを行う第４の可動切片と
をさらに有し、
前記シーソー機構は、
前記第３及び第４の可動切片のそれぞれ対応する前記固定切片からの接触及び離脱を行うことを特徴とする請求項１乃至５のいずれか一つに記載の高周波スイッチ。
【請求項７】
前記ハウジングに配置された前記固定切片と該固定切片に対応する前記可動切片の組をさらに複数有することを特徴とする請求項６に記載の高周波スイッチ。
【手続補正２】
【補正対象書類名】明細書
【補正対象項目名】０００９
【補正方法】変更
【補正の内容】
【０００９】
上記目的を達成するために、請求項１に記載の高周波スイッチは、ハウジングに配置された第１の固定切片と、前記ハウジングに前記第１の固定切片を挟んで所定距離以上離して配置された第２及び第３の固定切片と、前記第１の固定切片と前記第２の固定切片とのＯＮ／ＯＦＦを行う第１の可動切片と、前記第１の固定切片と前記第３の固定切片とのＯＮ／ＯＦＦを行う第２の可動切片と、回転可能な中心部材、前記中心部材から前記第１の可動切片に伸びる第１アーム、及び前記中心部材から前記第２の可動切片に伸びる第２アームを有し、回転することで前記第１アームにより前記第１の可動切片の前記第１の固定切片及び前記第２の固定切片への接触及び離脱を行い、前記第２アームにより前記第２の可動切片の前記第１の固定切片及び前記第３の固定切片への接触及び離脱を行うシーソー機構とを備えることを特徴とするものである。
【手続補正３】
【補正対象書類名】明細書
【補正対象項目名】００１１
【補正方法】変更
【補正の内容】
【００１１】
請求項３に記載の発明は、請求項１又は請求項２に記載の高周波スイッチであって、前記シーソー機構は、前記第１アーム側と前記第２アーム側へ方向を変えてスライド移動可能にされ、前記第１アーム及び前記第２アームを選択的に前記ハウジングの底部側へ押圧可能にされたスライダを有し、前記スライダにより前記第１アームが押圧されることにより前記第１アームが前記ハウジング底部側に近づき、前記第１の可動切片と前記第１及び前記第２の固定切片とが接触しＯＮにされるとともに、前記第２アームが前記ハウジングの底部側から離れ、前記第２の可動切片が前記１及び前記第３の固定切片から離れＯＦＦにすることを特徴とするものである。
【手続補正４】
【補正対象書類名】明細書
【補正対象項目名】００１２
【補正方法】変更
【補正の内容】
【００１２】
請求項４に記載の発明は、請求項３に記載の高周波スイッチであって、前記シーソー機構は、前記スライダの前記ハウジングの底部側に設けた第１弾性部材と、前記第１の可動切片及び前記第２の可動切片のそれぞれを、前記ハウジングの底部側から押圧する第２弾性部材とを有することを特徴とするものである。
【手続補正５】
【補正対象書類名】明細書
【補正対象項目名】００１３
【補正方法】変更
【補正の内容】
【００１３】
請求項５に記載の発明は、請求項１乃至４のいずれか一つに記載の高周波スイッチであって、前記第１の可動切片又は前記第２の可動切片の離脱によってＯＦＦされたときに、前記第１の可動切片と前記第１及び第２の固定切片との距離あるいは前記第２の可動切片と前記第１及び第３の固定切片との距離が所定以上確保できるように、前記第１及び第２の可動切片を各々略平板状に形成するとともに、前記第１乃至第３の固定切片の前記第１及び第２の可動切片と当接する箇所に凸部を設けたことを特徴とするものである。
【手続補正６】
【補正対象書類名】明細書
【補正対象項目名】００１６
【補正方法】変更
【補正の内容】
【００１６】
請求項１乃至３のいずれか一つに記載の高周波スイッチによると、マイクロストリップラインに近似した構造で高周波信号を伝送することが可能となる。これにより、広い周波数範囲において特性インピーダンスを一定に保持し、高周波信号の伝送による損失を抑えることが可能となる。また、固定切片間の距離が所定距離を有している。これにより、固定切片間における高周波信号の漏れを軽減すること、すなわちアイソレーションを確保することが可能となる。
【手続補正７】
【補正対象書類名】明細書
【補正対象項目名】００１７
【補正方法】変更
【補正の内容】
【００１７】
請求項４に記載の高周波スイッチによると、それぞれのアームを挟む２つの弾性部材によりアームを動かすことができる。これにより、１つずつの弾性部材を小型にでき、スイッチ内部の空間を広くすること、及び弾性部材へのエネルギーの漏れを少なくしてスイッチ内部の電磁界分布を均一にすることが可能となる。また、第２弾性部材を非導伝体のシリコンゴムとすると、第２弾性部材への高周波信号による電磁界の広がりを押さえることができ、アイソレーションを向上させることが可能となる。また、第２弾性部材をコイルバネとすると、第２弾性部材と高周波信号の伝送路との距離を長く取れるため、第２弾性部材への高周波信号による電磁界の広がりを押さえることができ、アイソレーションを向上させることが可能となる。